(57)【要約】【課題】本考案は、食器自体が底面接触復帰機能を有し、使用勝手が良く、衛生的であり見た目も良好な玉杓子を提供する。【解決手段】本考案の玉杓子は、飲食物掬取部２と、この飲食物掬取部２から突設した把手部３とを有する玉杓子１であって、飲食物掬取部２の載置面３０に接触する底面４ａを平坦とするとともに、飲食物掬取部２の底部４の厚さを厚くして重心位置が飲食物掬取部２側に偏る重量不均衡とし、把手部３の非把持時に飲食物掬取部２の底面４ａが載置面３０に接触する状態となる底面接触復帰機能を持たせたことを特徴とするものである。【選択図】図１
0003109621.tif 000002
【実用新案登録請求の範囲】
【請求項１】
飲食物掬取部と、この飲食物掬取部から突設した把手部とを有する飲食物掬用食器であって、
前記飲食物掬取部の載置面に接触する底面を平坦とするとともに、飲食物掬取部と把手部とを重心位置が飲食物掬取部側に偏る重量不均衡とし、前記把手部の非把持時に飲食物掬取部の底面が載置面に接触する状態となる底面接触復帰機能を持たせたことを特徴とする飲食物掬用食器。
【請求項２】
飲食物掬取部と、この飲食物掬取部から突設した把手部とを有する飲食物掬用食器であって、
前記飲食物掬取部の載置面に接触する底面を平坦とするとともに、前記飲食物掬取部の底部の厚さを厚くして重心位置が飲食物掬取部側に偏る重量不均衡とし、前記把手部の非把持時に飲食物掬取部の底面が載置面に接触する状態となる底面接触復帰機能を持たせたことを特徴とする飲食物掬用食器。
【請求項３】
飲食物掬取部と、この飲食物掬取部から突設した把手部とを有する飲食物掬用食器であって、
前記飲食物掬取部の載置面に接触する底面を平坦とするとともに、前記飲食物掬取部の底部に重量付加部材を包覆して重心位置が飲食物掬取部側に偏る重量不均衡とし、前記把手部の非把持時に飲食物掬取部の底面が載置面に接触する状態となる底面接触復帰機能を持たせたことを特徴とする飲食物掬用食器。
【請求項４】
飲食物掬取部と、この飲食物掬取部から突設した把手部とを有する玉杓子であって、
前記飲食物掬取部の載置面に接触する底面を平坦とするとともに、飲食物掬取部と把手部とを重心位置が飲食物掬取部側に偏る重量不均衡とし、前記把手部の非把持時に飲食物掬取部の底面が載置面に接触する状態となる底面接触復帰機能を持たせたことを特徴とする玉杓子。
【請求項５】
飲食物掬取部と、この飲食物掬取部から突設した把手部とを有する玉杓子であって、
前記飲食物掬取部の載置面に接触する底面を平坦とするとともに、前記飲食物掬取部の底部の厚さを厚くして重心位置が飲食物掬取部側に偏る重量不均衡とし、前記把手部の非把持時に飲食物掬取部の底面が載置面に接触する状態となる底面接触復帰機能を持たせたことを特徴とする玉杓子。
【請求項６】
飲食物掬取部と、この飲食物掬取部から突設した把手部とを有する玉杓子であって、
前記飲食物掬取部の載置面に接触する底面を平坦とするとともに、前記飲食物掬取部の底部に重量付加部材を包覆して重心位置が飲食物掬取部側に偏る重量不均衡とし、前記把手部の非把持時に飲食物掬取部の底面が載置面に接触する状態となる底面接触復帰機能を持たせたことを特徴とする玉杓子。
【請求項７】
飲食物掬取部と、この飲食物掬取部から突設した突片及び掴み部からなる把手部とを有する杓子であって、
前記飲食物掬取部の載置面に接触する底面を平坦とするとともに、飲食物掬取部と把手部とを重心位置が飲食物掬取部側に偏る重量不均衡とし、前記把手部の非把持時に飲食物掬取部の底面が載置面に接触する状態となる底面接触復帰機能を持たせたことを特徴とする杓子。
【請求項８】
飲食物掬取部と、この飲食物掬取部から突設した突片及び掴み部からなる把手部とを有する杓子であって、
前記飲食物掬取部の載置面に接触する底面を平坦とするとともに、前記飲食物掬取部の底部の厚さを厚くして重心位置が飲食物掬取部側に偏る重量不均衡とし、前記把手部の非把持時に飲食物掬取部の底面が載置面に接触する状態となる底面接触復帰機能を持たせたことを特徴とする杓子。
【請求項９】
飲食物掬取部と、この飲食物掬取部から突設した突片及び掴み部からなる把手部とを有する玉杓子であって、
前記飲食物掬取部の載置面に接触する底面を平坦とするとともに、前記飲食物掬取部の底部に重量付加部材を包覆して重心位置が飲食物掬取部側に偏る重量不均衡とし、前記把手部の非把持時に飲食物掬取部の底面が載置面に接触する状態となる底面接触復帰機能を持たせたことを特徴とする杓子。
【請求項１０】
飲食物掬取部と、この飲食物掬取部から突設した把手部とを有する匙であって、
前記飲食物掬取部の載置面に接触する底面を平坦とするとともに、飲食物掬取部と把手部とを重心位置が飲食物掬取部側に偏る重量不均衡とし、前記把手部の非把持時に飲食物掬取部の底面が載置面に接触する状態となる底面接触復帰機能を持たせたことを特徴とする匙。
【請求項１１】
飲食物掬取部と、この飲食物掬取部から突設した把手部とを有する匙であって、
前記飲食物掬取部の載置面に接触する底面を平坦とするとともに、前記飲食物掬取部の底部の厚さを厚くして重心位置が飲食物掬取部側に偏る重量不均衡とし、前記把手部の非把持時に飲食物掬取部の底面が載置面に接触する状態となる底面接触復帰機能を持たせたことを特徴とする匙。
【請求項１２】
飲食物掬取部と、この飲食物掬取部から突設した把手部とを有する匙であって、
前記飲食物掬取部の載置面に接触する底面を平坦とするとともに、前記飲食物掬取部の底部に重量付加部材を包覆して重心位置が飲食物掬取部側に偏る重量不均衡とし、前記把手部の非把持時に飲食物掬取部の底面が載置面に接触する状態となる底面接触復帰機能を持たせたことを特徴とする匙。
【考案の詳細な説明】
【技術分野】
【０００１】
本考案は、飲食物掬用食器、玉杓子、杓子及び匙に関し、詳しくは、対象となる料理の種類を問わず、また業務用、家庭用を問わず広範に使用できる飲食物掬用食器、玉杓子、杓子及び匙に関するものである。
【背景技術】
【０００２】
玉杓子や杓子、更には匙等の飲食物掬取用食器においては、食卓や調理台、流し台等の載置面上に傾倒した状態とするとそのままとなるのが通常てあり、このため掬取部内に掬い取った飲食物が載置面上にこぼれてこの載置面を汚してしまう事態が多発する。このため、飲食物がこぼれた載置面の拭き取り作業を余儀なくされ、煩雑であるとともに衛生面でも好ましくない。
【０００３】
このため、従来においても例えばスプーン等の食器において、飲食物を掬い取った後把手部から手を離すと自動的にスプーン等が起立状態に復元するようにする試みがなされている。
【０００４】
特許文献１には、掬い部とこれに連続する柄部とを有し、掬い部を柄部に対して重く設定し、更に掬い部の底面と柄部側の後ろ側周面との境界を曲面状に形成して倒れても起き上がる復元力を持たせた飲食用スプーンが提案されている。しかし、この特許文献１の場合、対象が飲食用スプーンであり使用範囲が限られるものである。
【０００５】
特許文献２には、おたまの内部を飲食物の分量を示すように色分けするとともに、おたまから逆Ｕ状に曲がった柄を突設し、飲食物の計量機能と、安定起立機能を兼備した構成の安定型柄付分量色分け計量おたまが提案されている。
【０００６】
しかし、この特許文献２の場合、逆Ｕ状に曲がった柄によりおたまを安定して起立させることができるものの、一旦おたま、柄が横倒しになったような場合には自動的に安定起立状態に復元させることはできない。
【特許文献１】特開２００３−３１０４１２号公報
【特許文献２】実開平６−８４３１３号公報
【考案の開示】
【考案が解決しようとする課題】
【０００７】
解決しようとする問題点は、食器自体が底面接触復帰機能を有し、使用勝手が良く、衛生的であり見た目も良好で広範な使用形態が可能な飲食物掬用食器が存在しない点である。
【課題を解決するための手段】
【０００８】
本考案は、飲食物掬取部と、この飲食物掬取部から突設した把手部とを有する飲食物掬用食器であって、前記飲食物掬取部の載置面に接触する底面を平坦とするとともに、飲食物掬取部と把手部とを重心位置が飲食物掬取部側に偏る重量不均衡とし、前記把手部の非把持時に飲食物掬取部の底面が載置面に接触する状態となる底面接触復帰機能を持たせたことを最も主要な特徴とする。
【考案の効果】
【０００９】
本考案によれば、以下の効果を奏する。
請求項１乃至３記載の考案によれば、飲食物掬取部の載置面に接触する底面を平坦とするとともに、飲食物掬取部と把手部とを重心位置が飲食物掬取部側に偏る重量不均衡とし、把手部の非把持時に飲食物掬取部の底面が載置面に接触する状態となる底面接触復帰機能を持たせたものであるから、把手部の非把持時には速やかに飲食物掬取部の底面を載置面に接触する状態とすることができ、これにより、使用勝手が向上し、食物又は飲物のこぼれ落ちを防止して載置面の清潔性を保ち、更には見た目も良好な飲食物掬用食器を提供できる。この場合の底面接触復帰機能は、飲食物掬取部の底部の厚さを大きくし又は底部に重量付加部材を包覆する構成で実現できる。
【００１０】
請求項４乃至６記載の考案によれば、請求項１乃至３記載の飲食物掬用食器の場合と同様、把手部の非把持時には速やかに飲食物掬取部の底面を載置面に接触する状態とすることができ、これにより、使用勝手が向上し、食物又は飲物のこぼれ落ちを防止して載置面の清潔性を保ち、更には見た目も良好な玉杓子を提供できる。この場合の底面接触復帰機能は、既述した場合と同様、飲食物掬取部の底部の厚さを大きくし又は底部に重量付加部材を包覆する構成で実現できる。
【００１１】
請求項７乃至９記載の考案によれば、請求項１乃至３記載の飲食物掬用食器の場合と同様、把手部の非把持時には速やかに飲食物掬取部の底面を載置面に接触する状態とすることができ、これにより、使用勝手が向上し、食物又は飲物のこぼれ落ちを防止して載置面の清潔性を保ち、更には見た目も良好な杓子を提供できる。この場合の底面接触復帰機能は、既述した場合と同様、飲食物掬取部の底部の厚さを大きくし又は底部に重量付加部材を包覆する構成で実現できる。
【００１２】
請求項１０乃至１２記載の考案によれば、請求項１乃至３記載の飲食物掬用食器の場合と同様、把手部の非把持時には速やかに飲食物掬取部の底面を載置面に接触する状態とすることができ、これにより、使用勝手が向上し、食物又は飲物のこぼれ落ちを防止して載置面の清潔性を保ち、更には見た目も良好な匙を提供できる。この場合の底面接触復帰機能は、既述した場合と同様、飲食物掬取部の底部の厚さを大きくし又は底部に重量付加部材を包覆する構成で実現できる。
【考案を実施するための最良の形態】
【００１３】
本考案は、食器自体が底面接触復帰機能を有し、使用勝手が良く、衛生的であり見た目も良好で広範な使用形態が可能な飲食物掬用食器である玉杓子を提供するという目的を、飲食物掬取部と、この飲食物掬取部から突設した把手部とを有する玉杓子であって、前記飲食物掬取部の載置面に接触する底面を平坦とするとともに、前記飲食物掬取部の底部の厚さを厚くして重心位置が飲食物掬取部側に偏る重量不均衡とし、前記把手部の非把持時に飲食物掬取部の底面が載置面に接触する状態となる底面接触復帰機能を持たせることにより実現した。
【実施例】
【００１４】
以下に、本考案の実施例を詳細に説明する。
（実施例１）
図１乃至図３を参照して本考案の実施例１に係る飲食物掬用食器の一種である玉杓子１について詳述する。
【００１５】
図１に示す玉杓子１は、カップ状の飲食物掬取部２と、この飲食物掬取部２から斜外方に突設した把手部３とを例えば合成樹脂材料を用いた樹脂成形により一体として形成している。
【００１６】
前記飲食物掬取部２は、略楕円形状を呈する底部４と、この底部４から斜め上方に上方に至る程拡開するように形成した周壁部６とを有している。この周壁部６における上縁の一部には、例えば食物を掬い取る際に食物に食い込み易くするための鋸歯状部６ａを形成している。
【００１７】
また、前記底部４の底面４ａは、食卓等の載置面３０上に本実施例１の玉杓子１を安定して載置し得るように平坦に形成しているとともに、底面４ａの中央部分には略楕円形状を呈する凹陥部５を設けている。更に、底面４ａの外周部分と周壁部６の最下部との境界領域は滑らかな曲面状としている。
【００１８】
前記把手部３は、周壁部６の上縁の一部、すなわち、前記鋸歯状部６ａの形成部分から少し離れた上縁部分から斜外方に突設している。この把手部３の突出端の近傍には壁に取り付けたフック等への掛け止めの便宜のための略三角形状の穴部７を設けている。
【００１９】
上述のような本実施例１の玉杓子１において、前記飲食物掬取部２と把手部３とは、全体の重心位置が飲食物掬取部２側に偏る重量不均衡構造とし、前記把手部３の非把持時においては、飲食物掬取部２の底面４ａが図１又は図３に示すように載置面３０上に安定して接触する状態となる底面接触復帰機能を持たせている。
【００２０】
前記飲食物掬取部２と把手部３との重量不均衡構造としては、例えば図３に示すように、前記飲食物掬取部２の底部４の厚さｔを厚くし、飲食物掬取部２の重量を把手部３の重量よりも相対的に大きくする構造を挙げることができる。
【００２１】
本実施例１の玉杓子１において、食事の際に把手部３を手に持ち、例えば食卓等の載置面３０上に置かれた盛皿等に盛られた食物をこの玉杓子１により掬い取って自ら食するための皿に運んだ後、載置面３０上に図２に示すように傾倒した状態で玉杓子１を置き、把手部３から手を離す状態とする。
【００２２】
このとき、前記飲食物掬取部２と把手部３との重量不均衡構造に基づく底面接触復帰機能により、玉杓子１は図２に示す傾倒状態から図１に示す飲食物掬取部２の底面４ａが載置面３０上に安定して接触するとともに、把手部３が斜め上方に突出する状態に復帰する。この場合、底面４ａの外周部分と周壁部６の最下部との境界領域が滑らかな曲面状となっているので、玉杓子１の底面接触復帰機能が円滑に発揮される。
【００２３】
この結果、この玉杓子１を次に使用する人が容易に把手部３を把持して食物の掬い取りの用に供することができ使用勝手が向上する。また、飲食物掬取部２の底面４ａが載置面３０上に安定して接触する状態に復帰することから、前記飲食物掬取部２の内部に食物又は液状物等が残存していたとしても、この食物又は飲物が載置面３０上にこぼれることはなく、載置面３０上を清潔に保つことが可能となり、更には見た目も良好となる。
【００２４】
図４は本実施例１の変形例を示すものであり、この変形例の玉杓子１Ａは、基本的には前記玉杓子１と同様な構造であるが、前記飲食物掬取部２の底部４を厚くする代わりに、図４に示すように、底部４の内部に例えば板状の重量付加部材８を包覆して、玉杓子１Ａの重心位置が飲食物掬取部２側に偏る重量不均衡構造としたものである。この変形例の玉杓子１Ａによっても、上述した玉杓子１の場合と同様な作用効果を発揮させることができる。
【００２５】
（実施例２）
図５乃至図７を参照して本考案の実施例２に係る飲食物掬用食器の一種である杓子１１について詳述する。
【００２６】
図５に示す杓子１１は、アルミニウム等の金属製からなる皿状の飲食物掬取部１２と、この飲食物掬取部１２から斜外方に突設した前記飲食物掬取部１２と一体の突片１３ａ及びこの突片１３ａに取り付けた掴み部１３ｂからなる把手部１３とを有している。掴み部１３ｂには、壁に取り付けたフック等への掛け止めの便宜のための穴部１７を設けている。
【００２７】
上述のような本実施例２の杓子１１において、前記飲食物掬取部１２と把手部１３とは、実施例１の場合と同様、全体の重心位置が飲食物掬取部１２側に偏る重量不均衡構造とし、前記把手部１３の非把持時においては、飲食物掬取部１２の底部１４の底面１４ａが図５又は図７に示すように載置面３０上に安定して接触する状態となる底面接触復帰機能を持たせている。
【００２８】
前記飲食物掬取部１２と把手部１３との重量不均衡構造としては、例えば図７に示すように、前記飲食物掬取部１２の底部１４の厚さｔを厚くし、飲食物掬取部１２の重量を把手部１３の重量よりも相対的に大きくする構造を挙げることができる。
【００２９】
本実施例２の杓子１１において、食事の際に把手部１３を手に持ち、例えば食卓等の載置面３０上に置かれた盛皿等に盛られた食物をこの杓子１により掬い取って自ら食するための皿に運んだ後、載置面３０上に図６に示すように傾倒した状態で杓子１１を置き、把手部３から手を離す状態とする。
【００３０】
このとき、前記飲食物掬取部１２と把手部１３との重量不均衡構造に基づく底面接触復帰機能により、杓子１１は図６に示す傾倒状態から図５に示す飲食物掬取部２の底面１４ａが載置面３０上に安定して接触するとともに、把手部１３が斜め上方に突出する状態に復帰する。
【００３１】
この結果、本実施例２の杓子１１においても、実施例１の玉杓子１の場合と同様、次に杓子１１を使用する人のための使用勝手の向上を図り、載置面３０上を清潔に保つことが可能となり、更には見た目も良好となるという作用効果を発揮する。
【００３２】
図８は実施例１の変形例を示すものであり、この変形例の杓子１１Ａは、基本的には前記杓子１１と同様な構造であるが、前記飲食物掬取部１２の底部１４を厚くする代わりに、図８に示すように、底部１４の内部に例えば板状の重量付加部材１８を包覆して、杓子１１Ａの重心位置が飲食物掬取部１２側に偏る重量不均衡構造としたものである。この変形例の杓子１１Ａによっても、上述した玉杓子１の場合と同様な作用効果を発揮させることができる。
【００３３】
（実施例３）
図９乃至図１１を参照して本考案の実施例３に係る飲食物掬用食器の一種である匙２１について詳述する。
【００３４】
図９に示す匙２１は、例えば合成樹脂製で皿状の飲食物掬取部２２と、この飲食物掬取部２２から斜外方に突設した前記飲食物掬取部２２と一体の把手部２３とを有している。把手部２３には、壁に取り付けたフック等への掛け止めの便宜のための穴部２７を設けている。
【００３５】
上述のような本実施例３の匙２１において、前記飲食物掬取部２２と把手部２３とは、実施例１の場合と同様、全体の重心位置が飲食物掬取部２２側に偏る重量不均衡構造とし、前記把手部２３の非把持時においては、飲食物掬取部２２の底部２４の平坦な底面２４ａが図９又は図１１に示すように載置面３０上に安定して接触する状態となる底面接触復帰機能を持たせている。
【００３６】
前記飲食物掬取部２２と把手部２３との重量不均衡構造としては、例えば図１１に示すように、前記飲食物掬取部２２の底部２４の厚さｔを厚くし、飲食物掬取部２２の重量を把手部１３の重量よりも相対的に大きくする構造を挙げることができる。
【００３７】
本実施例２の匙２１において、食事の際に把手部２３を手に持ち、例えば食卓等の載置面３０上に置かれた盛皿等に盛られた食物をこの匙２１により掬い取って自ら食するための皿に運んだ後、載置面３０上に図１０に示すように傾倒した状態で匙２１を置き、把手部２３から手を離す状態とする。
【００３８】
このとき、前記飲食物掬取部１２と把手部１３との重量不均衡構造に基づく底面接触復帰機能により、匙２１は図１０に示す傾倒状態から図９に示す飲食物掬取部２の底面２４ａが載置面３０上に安定して接触するとともに、把手部２３が斜め上方に突出する状態に復帰する。
【００３９】
この結果、本実施例３の匙２１においても、実施例１の玉杓子１の場合と同様、次に匙２１を使用する人のための使用勝手の向上を図り、載置面３０上を清潔に保つことが可能となり、更には見た目も良好となるという作用効果を発揮させることができる。
【００４０】
図１２は本実施例３の変形例を示すものであり、この変形例の匙２１Ａは、基本的には前記匙２１と同様な構造であるが、前記飲食物掬取部２２の底部２４を厚くする代わりに、図１２に示すように、底部２４の内部に例えば板状の重量付加部材２８を包覆して、匙２１Ａの重心位置が飲食物掬取部２２側に偏る重量不均衡構造としたものである。この変形例の匙２１Ａによっても、上述した匙２１の場合と同様な作用効果を発揮させることができる。
【００４１】
以上説明した実施例１乃至３において、これら玉杓子１、杓子１１、匙２１のを形成する素材は限定されるものではなく、合成樹脂、アルミニウム、ステンレス等の各種金属、陶磁器等々を適宜選定できる。
【産業上の利用可能性】
【００４２】
本考案は、既述した場合の他、しゃもじ、へら、スプーンその他の飲食物掬用の各種食器に幅広く適用可能である。また、本考案は、家庭用、業務用等使用場所の如何、鍋料理、中華料理等料理の種別の如何を問わず、幅広く適用可能である。
【図面の簡単な説明】
【００４３】
【図１】本考案の実施例１に係る玉杓子を示す斜視図である。
【図２】本考案の実施例１に係る玉杓子の傾倒状態を示す斜視図である。
【図３】本考案の実施例１に係る玉杓子の部分切欠断面図である。
【図４】本考案の実施例１に係る玉杓子の変形例を示す部分切欠断面図である。
【図５】本考案の実施例２に係る杓子を示す斜視図である。
【図６】本考案の実施例２に係る杓子の傾倒状態を示す斜視図である。
【図７】本考案の実施例２に係る杓子の部分切欠断面図である。
【図８】本考案の実施例２に係る杓子の変形例の部分切欠断面図である。
【図９】本考案の実施例３に係る匙を示す斜視図である。
【図１０】本考案の実施例３に係る匙の傾倒状態を示す斜視図である。
【図１１】本考案の実施例３に係る匙の部分切欠断面図である。
【図１２】本考案の実施例３に係る匙の変形例の部分切欠断面図である。
【符号の説明】
【００４４】
１    玉杓子
１Ａ  玉杓子
２    飲食物掬取部
３    把手部
４    底部
４ａ  底面
５    凹陥部
６    周壁部
６ａ  鋸歯状部
７    穴部
８    重量付加部材
１１    杓子
１１Ａ  杓子
１２    飲食物掬取部
１３    把手部
１３ａ  突片
１３ｂ  掴み部
１４    底部
１４ａ  底面
１７    穴部
１８    重量付加部材
２１    匙
２１Ａ  匙
２２    飲食物掬取部
２３    把手部
２４    底部
２４ａ  底面
２７    穴部
２８    重量付加部材
３０    載置面
【図１】
0003109621.tif 000003
【図２】
0003109621.tif 000004
【図３】
0003109621.tif 000005
【図４】
0003109621.tif 000006
【図５】
0003109621.tif 000007
【図６】
0003109621.tif 000008
【図７】
0003109621.tif 000009
【図８】
0003109621.tif 000010
【図９】
0003109621.tif 000011
【図１０】
0003109621.tif 000012
【図１１】
0003109621.tif 000013
【図１２】
0003109621.tif 000014
【手続補正書】
【提出日】平成17年2月23日(2005.2.23)
【手続補正１】
【補正対象書類名】図面
【補正対象項目名】図１
【補正方法】変更
【補正の内容】
【図１】
0003109621.tif 000015
【手続補正２】
【補正対象書類名】図面
【補正対象項目名】図２
【補正方法】変更
【補正の内容】
【図２】
0003109621.tif 000016